(57)【要約】【課題】左右のシートが独立して前後にスライドするシート構造において、アームレスト上面の保護材をコンパクトに収納して、アームレストスルーを可能とするアームレスト構造を提供する。【解決手段】左右に並設した自動車シート１を独立して前後にスライド可能とし、その左右の自動車シート１のいずれかのシートバック９に前倒部１０を形成し、その前倒部１０を前倒してアームレスト３として使用し、また、前倒によって生じるシートバック開口１２をスルー積載部として使用するアームレスト構造において、前記アームレスト３の上面片側の表皮を二枚とし、中央部分から折り返し可能とし、アームレスト３上に荷物を積載する際に、上面の表皮４を反転させて保護カバーとする。【選択図】　　　　図１
2004141409.tif 000002
【特許請求の範囲】
【請求項１】
左右に並設した自動車シートを独立して前後にスライド可能とし、その左右の自動車シートのいずれかのシートバックに前倒部を形成し、その前倒部を前倒してアームレストとして使用し、また、前倒によって生じるシートバック開口をスルー積載部として使用するアームレスト構造において、
前記アームレストの上面片側の表皮を二枚とし、中央部分から折り返し可能とし、アームレスト上に荷物を積載する際に、上側の表皮を反転させて保護カバーとすることを特徴とするアームレスト構造。
【請求項２】
前記アームレストの上面の一端に陥没した小物入れを形成し、上面の表皮を反転させることによって、小物入れ部分も同時に保護することを特徴とする請求項１記載のアームレスト構造。
【発明の詳細な説明】
【０００１】
【発明の属する技術分野】
本発明はアームレスト構造に関し、特に、左右のシートが独立して前後にスライドするシート構造において、アームレスト上面の保護材をコンパクトに収納して、アームレストスルーを可能とするアームレスト構造に関する。
【０００２】
【従来の技術】
近年では、スポーツやレジャーの多様化に伴い、自動車も多くの荷物を積載できるタイプのものが多数出回ってきた。そして、このようなタイプの車として、車室後方にラゲッジルームと称する荷室を備えた車両がある。
一方、車室内のシートには、一般に、肘掛けとしてアームレストが設けられている。例えばリヤシートにあっては、シートバック中央部分にアームレストを収納し、必要時にアームレストをシート前方に前倒して肘掛けとして使用する構成となっている。
そして、アームレストを前倒した際に、前倒によってシートバックに開口が生じるが、この開口をラゲッジルームと連通させることによって、長尺物の収納スペースを確保することができる。
【０００３】
このようないわゆるアームレストスルーを採用した例としては、図３に示すように、リアシートバックのアームレスト５０を前倒させて車室５１とトランクルーム５２とを連通させるスルー開口５３を形成したものがある。そして、アームレスト５０の上面はアームレストトレー５４によって覆ってその保護をしている。
また、前記アームレストスルーに関する技術として特開２００１−２７７９２２号公報記載の技術が知られている。
【特許文献１】
特開２００１−２７７９２２号公報
【０００４】
【発明が解決しようとする課題】
しかしながら、シート５５が左右に分割されて独立して前後にスライドする座席の場合では、前記従来のアームレストスルー機構を採用すると、シート５５の前後位置が左右でズレている場合、図４に示すようにアームレスト５０を前倒すると、アームレストトレー５４のみが起立した状態で車室５１内に残ってしまい、乗員に対して邪魔となってしまう。
本発明は係る従来の問題点を解決するためになされたものであって、その目的とするところは、左右のシートが独立して前後にスライドするシート構造において、アームレスト上面の保護材をコンパクトに収納して、アームレストスルーを可能とするアームレスト構造を提供することにある。
【０００５】
【課題を解決するための手段】
前記目的を達成するための手段として本発明請求項１記載の発明では、左右に並設した自動車シートを独立して前後にスライド可能とし、その左右の自動車シートのいずれかのシートバックに前倒部を形成し、その前倒部を前倒してアームレストとして使用し、また、前倒によって生じるシートバック開口をスルー積載部として使用するアームレスト構造において、前記アームレストの上面片側の表皮を二枚とし、中央部分から折り返し可能とし、アームレスト上に荷物を積載する際に、上側の表皮を反転させて保護カバーとする構成とした。
【０００６】
請求項２記載の発明では、請求項１記載の発明において、前記アームレストの上面の一端に陥没した小物入れを形成し、上面の表皮を反転させることによって、小物入れ部分も同時に保護する構成とした。
【０００７】
【発明の作用及び効果】
請求項１記載のアームレスト構造においては、左右に並設した自動車シートを独立して前後にスライド可能とし、その左右の自動車シートのいずれかのシートバックに前倒部を形成し、その前倒部を前倒してアームレストとして使用し、また、前倒によって生じるシートバック開口をスルー積載部として使用するアームレスト構造において、前記アームレストの上面片側の表皮を二枚とし、中央部分から折り返し可能とし、アームレスト上に荷物を積載する際に、上側の表皮を反転させて保護カバーとするので、アームレストスルーとして使用するときは上側を折り返すのみで、全体を被覆保護することができ、アームレスト表皮の汚れを防止することができる。
また、アームレストを保護するアームレストトレー等を別途備える必要が無く、アームレスト使用時、アームレストトレーが車室内で邪魔にならない。
さらに、アームレストトレーを設ける必要がないので製造コストを低減することができる。
【０００８】
請求項２記載のアームレスト構造においては、表皮を反転させて小物入れの部分も同時に覆うことができるので、長尺物をアームレスト上に積載した場合に、小物入れの傷付、損傷を防止することができる。
【０００９】
【発明の実施の形態】
以下、図面に基づいて本発明の実施の形態を説明する。
図１は本発明のアームレスト構造を適用した後部座席の全体図、図２はアームレストの表皮を反転させる場合の説明図である。
本発明のアームレスト構造は図１に示すように、車両後部の左右のシート１と、そのシート１の後方に配置されたラゲッジフロア２と、そのシート１の中央部分に配置された回動自在のアームレスト３と、そのアームレスト３の上面片側に重ねられた上側の表皮４を主要な構成としている。
【００１０】
前記車両は車室と連続したラゲッジフロア２を有し、車室の後方に荷室の空間が連続している。
前記シート１は左右それぞれが独立して前後にスライド可能であり、シート１の下にはスライドレール５が配設されて、スライドレバー６を引くと、それぞれ左右のスライドレール５上を前後へスライドするようになっている。
図中符号７はリクライニングデバイスであり、これを操作してシートバック９の傾きを調整する。
左右のシート１はそれぞれ座部８とシートバック９から形成され、右シート１の座部８及びシートバック９は横幅が広く、右シートは２人掛け、左シートは一人掛けとなっている。そして、その横幅の広い右シートバック９の中央側端部は縦割り分割され、独立して前倒可能な前倒部１０となっている。
【００１１】
前記前倒部１０は、周囲をシート１の表皮と同一の表皮に覆われた直方体の形状であり、下端に回動支軸１１が挿通されて右シートバック９に連結され、この回動支軸を中心に前方へ略９０度回動して、シートバック９とアームレスト３を兼ねるようになっている。
前倒部１０を前倒させて水平にすると左右のシートを仕切るアームレスト３が形成され、前倒部１０を起立させるとシートバック９として２人掛けが可能となる。
前倒部１０を前倒させると、それによってシートバック９の中央部分に開口１２が生じるが、この開口１２は長尺物を通過させて積載するスルー積載部として使用することができる。
【００１２】
前記アームレスト３の上面の先端には陥没した樹脂製のカップホルダ１３（小物入れ）が配置されている。そして、樹脂製のカップホルダ１３を除いたアームレスト３の外周はシート１の表皮と同一の表皮、すなわちシートクロスで覆われている。
また、アームレスト３の上面の表皮は後方半分が二枚に重ねられ、中央を境として、折り返し可能となっている。そして上側の表皮４はアームレストの後ろ側周囲にファスナー１４によって留められている。
ファスナー１４を開くと、上側の表皮４が剥がれて、中央部分から折り返し可能となる。折り返して反対側へ被せることにより、剥がれた部分が露出すると共に、上側のシートの裏が露出してアームレスト３の上面を保護することになる。そして、同時にカップホルダ１３の樹脂部分も保護する。この保護面１６は塩化ビニールシート等によって構成されて、汚れの付着防止、傷付き難い表面処理がなされている。
【００１３】
次に本実施の形態の作用を説明する。
長尺物を積載する場合には、前倒部１０を前倒して後部シート１のシートバック９の中央部分に開口１２を形成する。
この開口１２をスルー積載部として長尺物をラゲッジフロア２との間に通して積載する。
また、前倒部１０を前倒させることによりアームレスト３が形成されるが、このアームレスト３上面には長尺物が載るので、アームレスト３のファスナー１４を開き、上側の表皮４を剥がして裏返して前方に被せる。
この上側の表皮４を裏返して前方に被せることにより、剥がれた部分及び上側の表皮４の裏が露出してアームレスト３の上面を保護することになる。この保護面１６は塩化ビニールシート等によって構成されているので、汚れの付着防止、傷付防止処理がなされる。
同時にアームレスト３の表面にあるカップホルダ１３の樹脂部分も保護する。
【００１４】
長尺物を積載しない通常の走行では、上側の表皮４を元に戻してファスナー１４で止着する。これにより、アームレスト３はシートクロスによって覆われ、アームレスト３またはシートバック９として使用することができる。
本実施の形態では、上側の表皮４を裏返して被せるのみでアームレスト３を保護するので、従来のように、アームレストトレーを設ける必要がなく、特に、左右のシート１をスライドさせて前後した場合に、アームレストトレーが突起して車室空間の障害となることはない。
【００１５】
以上、本発明の実施の形態を説明してきたが、本発明の具体的な構成は本実施の形態に限定されるものではなく、発明の要旨を逸脱しない範囲の設計変更等があっても本発明に含まれる。
例えば、前記実施の形態で説明した上側の表皮４を留める構成は、ファスナー１４の代わりとしてホック、デュアルロック等を使用することもできる。
また、前記実施の形態では後部シートに適用するアームレストについて説明したが、運転席等のアームレストに適用することも可能である。
【図面の簡単な説明】
【図１】アームレスト構造を適用した後部座席の全体図である。
【図２】アームレストの表皮を反転させる場合の説明図である。
【図３】従来例に係るアームレストの説明図である。
【図４】従来例に係るシートが前後にスライドした状態のアームレストの説明図である。
【符号の説明】
１　シート
２　ラゲッジフロア
３　アームレスト
４　上側の表皮
５　スライドレール
６　スライドレバー
７　リクライニングデバイス
８　座部
９　シートバック
１０　前倒部
１１　回動支軸
１２　開口
１３　カップホルダ
１４　ファスナー
１６　保護面
【図１】
2004141409.tif 000003
【図２】
2004141409.tif 000004
【図３】
2004141409.tif 000005
【図４】
2004141409.tif 000006